【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
被検体表面に直接又は接触媒質を介して複数の垂直縦波振動子をアレイ状に配設し、前記複数の各垂直縦波振動子をその配設位置に応じた時間差を設けて励振するか、または前記配設位置に応じた時間差を設けて且つその配設位置内の送信電力の分布が所望の分布となるようにそれぞれ重み付けして励振することにより生ずる垂直応力により、前記被検体内の斜め方向に超音波横波を発生させて入射することを特徴とする超音波探傷方法。
【請求項２】
被検体内から反射される超音波横波に基づく垂直応力を受波用の複数の各垂直縦波振動子によりそれぞれ受波し、これらの各受波出力を、その受波振動子の配設位置に応じた時間差を設けて合成するか、または前記配設位置に応じた時間差を設けて且つその配設位置内の信号増幅率の分布が所望の分布となるようにそれぞれ重み付けして増幅することにより得られる各出力を合成し、この合成信号を受信出力とすることを特徴とする超音波探傷方法。
【請求項３】
被検体表面に直接又は接触媒質を介して送受波兼用の複数の垂直縦波振動子をアレイ状に配設し、前記送受波兼用の複数の各垂直縦波振動子を、その配設位置に応じた時間差を設けて励振するか、または前記配設位置に応じた時間差を設けて且つその配設位置内の送信電力の分布が所望の分布となるようにそれぞれ重み付けして励振することにより生ずる垂直応力により、前記被検体内の斜め方向に超音波横波を発生させて入射し、前記被検体内から反射される超音波横波に基づく垂直応力を前記送受波兼用の複数の各垂直縦波振動子によりそれぞれ受波し、これらの各受波出力を、その受波振動子の配設位置に応じた時間差を設けて合成するか、または前記配設位置に応じた時間差を設けて且つその配設位置内の信号増幅率の分布が所望の分布となるようにそれぞれ重み付けして増幅することにより得られる各出力を合成し、この合成信号を受信出力とすることを特徴とする超音波探傷方法。
【請求項４】
被検体表面に直接又は接触媒質を介して送波用の複数の垂直縦波振動子と受波用の複数の垂直縦波振動子とをそれぞれアレイ状に配設し、前記送波用の複数の各垂直縦波振動子を、その配設位置に応じた時間差を設けて励振するか、または前記配設位置に応じた時間差を設けて且つその配設位置内の送信電力の分布が所望の分布となるようにそれぞれ重み付けして励振することにより生ずる垂直応力により、前記被検体内の斜め方向に超音波横波を発生させて入射し、前記被検体内から反射される超音波横波に基づく垂直応力を前記受波用の複数の各垂直縦波振動子によりそれぞれ受波し、これらの各受波出力を、その受波振動子の配設位置に応じた時間差を設けて合成するか、または前記配設位置に応じた時間差を設けて且つその配設位置内の信号増幅率の分布が所望の分布となるようにそれぞれ重み付けして増幅することにより得られる各出力を合成し、この合成信号を受信出力とすることを特徴とする超音波探傷方法。
【請求項５】
前記送受波兼用又は送波用の複数の各垂直縦波振動子を励振する際の各励振振動子の配設位置に応じて設ける時間差は、前記被検体内の斜めの方向に発生させて入射する超音波横波のビーム方位を所望の角度方向とするように前記時間差を制御すると共に、前記送受波兼用又は受波用の複数の各垂直縦波振動子により受波する際の各受波振動子の配設位置に応じて設ける時間差は、前記被検体内の所望の探傷角度方向から反射される超音波横波に基づく受波合成出力が最大となるように前記時間差を制御することを特徴とする請求項２又は３記載の超音波探傷方法。
【請求項６】
被検体表面に直接又は接触媒質を介してアレイ状に配設された複数の垂直縦波振動子と、
前記複数の各垂直縦波振動子をその配設位置に応じた時間差を設けて励振するか、または前記配設位置に応じた時間差を設けて且つその配設位置内の送信電力の分布が所望の分布となるようにそれぞれ重み付けして励振することにより生ずる垂直応力により、前記被検体内の斜め方向に超音波横波を発生させて入射する超音波送信手段とを備えたことを特徴とする超音波探傷装置。
【請求項７】
被検体内から反射される超音波横波に基づく垂直応力を受波する複数の各垂直縦波振動子と、
該各垂直縦波振動子の各受波出力を、その振動子の配設位置に応じた時間差を設けて合成するか、または前記配設位置に応じた時間差を設けて且つその配設位置内の信号増幅率の分布が所望の分布となるようにそれぞれ重み付けして増幅することにより得られる各出力を合成し、この合成信号を受信出力とする超音波受信手段と
を備えたことを特徴とする超音波探傷装置。
【請求項８】
被検体表面に直接又は接触媒質を介してアレイ状に配設された送受波兼用の複数の垂直縦波振動子と、
前記送受波兼用の複数の各垂直縦波振動子を、その配設位置に応じた時間差を設けて励振するか、または前記配設位置に応じた時間差を設けて且つその配設位置内の送信電力の分布が所望の分布となるようにそれぞれ重み付けして励振することにより生ずる垂直応力により、前記被検体内の斜め方向に超音波横波を発生させて入射する超音波送信手段と、
前記被検体内から反射される超音波横波に基づく垂直応力を前記送受波兼用の複数の各垂直縦波振動子によりそれぞれ受波し、これらの各受波出力を、その受波振動子の配設位置に応じた時間差を設けて合成するか、または前記配設位置に応じた時間差を設けて且つその配設位置内の信号増幅率の分布が所望の分布となるようにそれぞれ重み付けして増幅することにより得られる各出力を合成し、この合成信号を受信出力とする超音波受信手段とを備えたことを特徴とする超音波探傷装置。
【請求項９】
被検体表面に直接又は接触媒質を介してそれぞれアレイ状に配設された送波用の複数の垂直縦波振動子及び受波用の複数の垂直縦波振動子と、
前記送波用の複数の各垂直縦波振動子を、その配設位置に応じた時間差を設けて励振するか、または前記配設位置に応じた時間差を設けて且つその配設位置内の送信電力の分布が所望の分布となるようにそれぞれ重み付けして励振することにより生ずる垂直応力により、前記被検体内の斜め方向に超音波横波を発生させて入射する超音波送信手段と、
前記被検体内から反射される超音波横波に基づく垂直応力を前記送波用の複数の各垂直縦波振動子によりそれぞれ受波し、これらの各受波出力を、その受波振動子の配設位置に応じた時間差を設けて合成するか、または前記配設位置に応じた時間差を設けて且つその配設位置内の信号増幅率の分布が所望の分布となるようにそれぞれ重み付けして増幅することにより得られる各出力を合成し、この合成信号を受信出力とする超音波受信手段とを備えたことを特徴とする超音波探傷装置。
【請求項１０】
前記送受波兼用又は送波用の複数の各垂直縦波振動子を励振する際の各励振振動子の配設位置に応じて設ける時間差は、前記被検体内の斜め方向に発生させて入射する超音波横波のビーム方位を所望の角度方向とするように前記時間差を制御すると共に、前記送受波兼用又は受波用の複数の各垂直縦波振動子により受波する際の各受波振動子の配設位置に応じて設ける時間差は、前記被検体内の所望の探傷角度方向から反射される超音波横波に基づく受波合成出力が最大となるように前記時間差を制御する送信及び受信の時間差制御手段を有することを特徴とする請求項６又は７記載の超音波探傷装置。
【請求項１１】
前記アレイ状に配設された送受波兼用の複数の垂直縦波振動子を一体化して送受波兼用のアレイ探触子として構成したことを特徴とする請求項６記載の超音波探傷装置。
【請求項１２】
前記それぞれアレイ状に配設された送波用の複数の垂直縦波振動子及び受波用の複数の垂直縦波振動子を、送波用の複数の垂直縦波振動子のみを一体化した送波用アレイ探触子及び受波用の複数の垂直縦波振動子のみを一体化した受波用アレイ探触子として構成したことを特徴とする請求項７記載の超音波探傷装置。
【手続補正２】
【補正対象書類名】明細書
【補正対象項目名】０００８
【補正方法】変更
【補正の内容】
【０００８】
【課題を解決するための手段】
本発明に係る超音波探傷方法は、被検体表面に直接又は接触媒質を介して複数の垂直縦波振動子をアレイ状に配設し、複数の各垂直縦波振動子をその配設位置に応じた時間差を設けて励振するか、または配設位置に応じた時間差を設けて且つその配設位置内の送信電力の分布が所望の分布となるようにそれぞれ重み付けして励振することにより生ずる垂直応力により、被検体内の斜め方向に超音波横波を発生させて入射するものである。
また、本発明に係る超音波探傷方法は、被検体内から反射される超音波横波に基づく垂直応力を受波用の複数の各垂直縦波振動子によりそれぞれ受波し、これらの各受波出力を、その受波振動子の配設位置に応じた時間差を設けて合成するか、または配設位置に応じた時間差を設けて且つその配設位置内の信号増幅率の分布が所望の分布となるようにそれぞれ重み付けして増幅することにより得られる各出力を合成し、この合成信号を受信出力とする
【手続補正３】
【補正対象書類名】明細書
【補正対象項目名】０００９
【補正方法】変更
【補正の内容】
【０００９】
また、本発明に係る超音波探傷方法は、被検体表面に直接又は接触媒質を介して送受波兼用の複数の垂直縦波振動子をアレイ状に配設し、送受波兼用の複数の各垂直縦波振動子を、その配設位置に応じた時間差を設けて励振するか、または配設位置に応じた時間差を設けて且つその配設位置内の送信電力の分布が所望の分布となるようにそれぞれ重み付けして励振することにより生ずる垂直応力により、被検体内の斜め方向に超音波横波を発生させて入射し、被検体内から反射される超音波横波に基づく垂直応力を送受波兼用の複数の各垂直縦波振動子によりそれぞれ受波し、これらの各受波出力を、その受波振動子の配設位置に応じた時間差を設けて合成するか、または配設位置に応じた時間差を設けて且つその配設位置内の信号増幅率の分布が所望の分布となるようにそれぞれ重み付けして増幅することにより得られる各出力を合成し、この合成信号を受信出力とするものである。


【手続補正４】
【補正対象書類名】明細書
【補正対象項目名】００１０
【補正方法】変更
【補正の内容】
【００１０】
また、本発明に係る超音波探傷方法は、被検体表面に直接又は接触媒質を介して送波用の複数の垂直縦波振動子と受波用の複数の垂直縦波振動子とをそれぞれアレイ状に配設し、送波用の複数の各垂直縦波振動子を、その配設位置に応じた時間差を設けて励振するか、または配設位置に応じた時間差を設けて且つその配設位置内の送信電力の分布が所望の分布となるようにそれぞれ重み付けして励振することにより生ずる垂直応力により、被検体内の斜め方向に超音波横波を発生させて入射し、被検体内から反射される超音波横波に基づく垂直応力を受波用の複数の各垂直縦波振動子によりそれぞれ受波し、これらの各受波出力を、その受波振動子の配設位置に応じた時間差を設けて合成するか、または配設位置に応じた時間差を設けて且つその配設位置内の信号増幅率の分布が所望の分布となるようにそれぞれ重み付けして増幅することにより得られる各出力を合成し、この合成信号を受信出力とするものである。


【手続補正５】
【補正対象書類名】明細書
【補正対象項目名】００１１
【補正方法】変更
【補正の内容】
【００１１】
また、本発明に係る超音波探傷方法は、請求項２又は３に係る超音波探傷方法において、送受波兼用又は送波用の複数の各垂直縦波振動子を励振する際の各励振振動子の配設位置に応じて設ける時間差は、被検体内の斜め方向に発生させて入射する超音波横波のビーム方位を所望の角度方向とするように時間差を制御すると共に、送受波兼用又は受波用の複数の各垂直縦波振動子により受波する際の各受波振動子の配設位置に応じて設ける時間差は、被検体内の所望の探傷角度方向から反射される超音波横波に基づく受波合成出力が最大となるように時間差を制御するものである。


【手続補正６】
【補正対象書類名】明細書
【補正対象項目名】００１２
【補正方法】変更
【補正の内容】
【００１２】
また、本発明に係る超音波探傷装置は、被検体表面に直接又は接触媒質を介してアレイ状に配設された複数の垂直縦波振動子と、複数の各垂直縦波振動子をその配設位置に応じた時間差を設けて励振するか、または配設位置に応じた時間差を設けて且つその配設位置内の送信電力の分布が所望の分布となるようにそれぞれ重み付けして励振することにより生ずる垂直応力により、被検体内の斜め方向に超音波横波を発生させて入射する超音波送信手段とを備えたものである。
また、本発明に係る超音波探傷装置は、被検体内から反射される超音波横波に基づく垂直応力を受波する複数の各垂直縦波振動子と、各垂直縦波振動子の各受波出力を、その振動子の配設位置に応じた時間差を設けて合成するか、または配設位置に応じた時間差を設けて且つその配設位置内の信号増幅率の分布が所望の分布となるようにそれぞれ重み付けして増幅することにより得られる各出力を合成し、この合成信号を受信出力とする超音波受信手段とを備えたものである。
【手続補正７】
【補正対象書類名】明細書
【補正対象項目名】００１３
【補正方法】変更
【補正の内容】
【００１３】
また、本発明に係る超音波探傷装置は、被検体表面に直接又は接触媒質を介してアレイ状に配設された送受波兼用の複数の垂直縦波振動子と、送受波兼用の複数の各垂直縦波振動子を、その配設位置に応じた時間差を設けて励振するか、または配設位置に応じた時間差を設けて且つその配設位置内の送信電力の分布が所望の分布となるようにそれぞれ重み付けして励振することにより生ずる垂直応力により、被検体内の斜め方向に超音波横波を発生させて入射する超音波送信手段と、被検体内から反射される超音波横波に基づく垂直応力を送受波兼用の複数の各垂直縦波振動子によりそれぞれ受波し、これらの各受波出力を、その受波振動子の配設位置に応じた時間差を設けて合成するか、または配設位置に応じた時間差を設けて且つその配設位置内の信号増幅率の分布が所望の分布となるようにそれぞれ重み付けして増幅することにより得られる各出力を合成し、この合成信号を受信出力とする超音波受信手段とを備えたものである。


【手続補正８】
【補正対象書類名】明細書
【補正対象項目名】００１４
【補正方法】変更
【補正の内容】
【００１４】
また、本発明に係る超音波探傷装置は、被検体表面に直接又は接触媒質を介してアレイ状に配設された送波用の複数の垂直縦波振動子及び受波用の複数の垂直縦波振動子と、送波用の複数の各垂直縦波振動子を、その配設位置に応じた時間差を設けて励振するか、または配設位置に応じた時間差を設けて且つその配設位置内の送信電力の分布が所望の分布となるようにそれぞれ重み付けして励振することにより生ずる垂直応力により、被検体内の斜め方向に超音波横波を発生させて入射する超音波送信手段と、被検体内から反射される超音波横波に基づく垂直応力を送波用の複数の各垂直縦波振動子によりそれぞれ受波し、これらの各受波出力を、その受波振動子の配設位置に応じた時間差を設けて合成するか、または配設位置に応じた時間差を設けて且つその配設位置内の信号増幅率の分布が所望の分布となるようにそれぞれ重み付けして増幅することにより得られる各出力を合成し、この合成信号を受信出力とする超音波受信手段とを備えたものである。


【手続補正９】
【補正対象書類名】明細書
【補正対象項目名】００１５
【補正方法】変更
【補正の内容】
【００１５】
また、本発明に係る超音波探傷装置は、請求項６又は７に係る超音波探傷装置において、送受波兼用又は送波用の複数の各垂直縦波振動子を励振する際の各励振振動子の配設位置に応じて設ける時間差は、被検体内の斜めの方向に発生させて入射する超音波横波のビーム方位を所望の角度方向とするように時間差を制御すると共に、送受波兼用又は受波用の複数の各垂直縦波振動子により受波する際の各受波振動子の配設位置に応じて設ける時間差は、被検体内の所望の探傷角度方向から反射される超音波横波に基づく受波合成出力が最大となるように時間差を制御する送信及び受信の時間差制御手段を有するものである。


【手続補正１０】
【補正対象書類名】明細書
【補正対象項目名】００１６
【補正方法】変更
【補正の内容】
【００１６】
また、本発明に係る超音波探傷装置は、請求項６に係る超音波探傷装置において、アレイ状に配設された送受波兼用の複数の垂直縦波振動子を一体化して送受波兼用のアレイ探触子として構成したものである。


【手続補正１１】
【補正対象書類名】明細書
【補正対象項目名】００１７
【補正方法】変更
【補正の内容】
【００１７】
また、本発明に係る超音波探傷装置は、請求項７に係る超音波探傷装置において、それぞれアレイ状に配設された送波用の複数の垂直縦波振動子及び受波用の複数の垂直縦波振動子を、送波用の複数の垂直縦波振動子のみを一体化した送波用アレイ探触子及び受波用の複数の垂直縦波振動子のみを一体化した受波用アレイ探触子として構成したものである。


【手続補正１２】
【補正対象書類名】明細書
【補正対象項目名】００３９
【補正方法】変更
【補正の内容】
【００３９】
これはきず１７の形状により、反射横波の大部分が入射横波とは異なる別の方向に反射される場合に有効な探傷方法である。
図２において、入射横波の角度方向と反射横波を受波する方向とが異なっているため、送信用遅延時間制御装置６Ｔと受信用遅延時間制御装置６Ｒ内における各遅延時間可変素子の遅延時間の制御はそれぞれ異なるものとなる。
即ち送信側の各遅延時間は、検査対象物１３内に入射する超音波横波の入射角が所望の角度方向となるように制御され、受信側の各遅延時間は、検査対象物１３内の所望の探傷方向から反射される超音波横波に基づく受波合成出力が最大となるように制御される。